(57)【要約】【課題】外部ダクトを取外すことなく、天板を本体ケーシングの前方へ簡単に移動させて、送風ファンやその駆動部などのメンテナンスや清掃を手軽に行うことのできる空調用室内機が求められている。【解決手段】空調用室内機１は、側板２、３と、天板４と、背板５と、前板とを備えてなる本体ケーシング８を有し、本体ケーシング８内に室内熱交換器９が配備され、天板４の下面に、室内熱交換器９からの空気を送風する送風ファンと、送風ファンを回転駆動する駆動部１１とが設けられ、天板４に、送風ファンからの空気を吹出す吹出用開口が形成されている空調用室内機において、本体ケーシング８の上端部に、天板４の上方を被うとともに前面開口部３６を有するカバー体２７が固設され、天板４がカバー体２７の前面開口部３６から前後出入れ自在に本体ケーシング８に支持され、カバー体２７の上面に、外部ダクト４０と連結されるダクト用フランジ部が設けられている。【選択図】図１
2010117103.tif 000002
【特許請求の範囲】
【請求項１】
左右の側板と、天板と、背板と、前板とを備えてなる本体ケーシングを有し、前記本体ケーシング内に室内熱交換器が配備され、前記天板の下面に、前記室内熱交換器からの空気を送風する送風ファンと、前記送風ファンを回転駆動する駆動部とが設けられ、前記天板に、前記送風ファンからの空気を吹き出す吹出用開口が形成されている空調用室内機において、
前記本体ケーシングの上端部に、前記天板の上方を被うとともに前面開口部を有するカバー体が固設され、前記天板が前記カバー体の前面開口部から前後出し入れ自在に前記本体ケーシングに支持され、前記カバー体の上面に、外部のダクトと連結されるダクト用フランジ部が設けられていることを特徴とする空調用室内機。
【請求項２】
左右の側板の上部にレール状部材がそれぞれの長手方向を前後にして設置され、前記レール状部材上に、天板が前後出し入れ自在に支持され、前記天板の後辺部がカバー体のダクト用フランジ部の背側内面または背板の背面と気密状に接するように形成され、前記天板の前部に、左右方向に沿う横板部が立設され、前記カバー体の前辺部の前面に、前記天板の横板部と対面する弾性シール部材が貼設されて、前記天板が前記カバー体内の所定位置に格納されたとき、前記天板の横板部と前記カバー体の弾性シール部材との間、および、前記カバー体の背側内面または前記背板の背面と前記天板の後辺部との間が気密状に封止される構成とされていることを特徴とする請求項１に記載の空調用室内機。
【発明の詳細な説明】
【技術分野】
【０００１】
この発明は、被空調室内に設置されて冷房や暖房を行なう空調用室内機に係り、更に詳しくは、搭載している送風ファンやその駆動部のメンテンナンスや清掃を手軽に行なうことのできる空調用室内機に関する。
【背景技術】
【０００２】
冷房や暖房を行なうために被空調室内に設置される冷凍サイクル装置の空調用室内機は、被空調室内の設置条件によって、衛生面で常に清潔にしておかなければならないなどの理由から機内の各部品を定期的に洗浄することが望まれる場合がある。このような事情に対処するものとして、例えば下記の特許文献１に記載された空調用室内機が知られている。この文献１記載の空調用室内機は、左右の側板と、左右の側板上に支持される天板と、背板と、前板とからなる直方箱状の本体ケーシングを備えている。この空調用室内機では、本体ケーシング内に室内熱交換器が配備されており、天板の下面に、室内熱交換器からの空気を送り出す送風ファンおよびそれを囲むファンケーシングと、送風ファンを回転駆動する駆動部が取り付けられている。そして、天板は左右の側板の上端部にビスなどで固定されている。また、天板の上面には、特許文献１および特許文献２に記載されているようなダクト用フランジ部が設けられ、このダクト用フランジ部に外部のダクトが連結されている。
【０００３】
上記した特許文献１記載の空調用室内機において送風ファンなどのメンテナンスや清掃を行なう際には、それらに先立って、送風ファンなどと一体の天板が本体ケーシングの前方に引き出される。この場合は、固定用のビスを外し、天板を前方に引き出すようにしている。その後、ファンケーシングを開放し、ケーシング内の送風ファンなどのメンテナンスや清掃を行なうようになっている。
【０００４】
【特許文献１】特開２００６−１０１７７号公報
【特許文献２】特開２００３−１８５２４１号公報
【発明の開示】
【発明が解決しようとする課題】
【０００５】
ところで、上記文献１記載の空調用室内機は、メンテナンスなどに際して、天板を前方に引き出す。その場合、天板には比較的重量のあるモータや送風ファンが配備されているので元々重いが、天板にダクトを連結したままであれば、ダクトの重量や剛性も加わり更に重くなって動かしにくくなり、天板の引き出しと復旧に多大な労力と注意を要していた。また、ダクトに連結したままで天板を動かそうとすると天板やダクトが撓み、最悪の場合は天板やダクトが塑性変形して元の形状に戻らないおそれがあった。
他方で、天板を動かしやすくするために、固定用のネジを緩めてフランジからダクトを外す場合は、ネジ外し作業、復旧時におけるフランジとダクトの位置合わせ作業、およびネジ締め作業が必要となり、非常に手間がかかる。また、ダクトの取外し時と復旧時に、ダクト表面に付着していた塵埃が振るい落とされて周囲を汚すおそれがあるので、衛生的な環境で使用され、かつ、比較的高い頻度での清掃を要求される空調用室内機としての使用条件に適合しないという問題もある。
【０００６】
この発明は、上記のような課題を解決するためになされたもので、連結されているダクトを取り外すことなく、天板を本体ケーシングの前方へ簡単に移動させて、送風ファンやその駆動部などのメンテンナンスや清掃を手軽に行なうことのできる空調用室内機の提供を目的とする。
【課題を解決するための手段】
【０００７】
上記目的を達成するために、本発明に係る空調用室内機は、左右の側板と、天板と、背板と、前板とを備えてなる本体ケーシングを有し、本体ケーシング内に室内熱交換器が配備され、天板の下面に、室内熱交換器からの空気を送風する送風ファンと、送風ファンを回転駆動する駆動部とが設けられ、天板に、前記送風ファンからの空気を吹き出す吹出用開口が形成されている空調用室内機において、本体ケーシングの上端部に、天板の上方を被うとともに前面開口部を有するカバー体が固設され、天板がカバー体の前面開口部から前後出し入れ自在に本体ケーシングに支持され、カバー体の上面に、外部のダクトと連結されるダクト用フランジ部が設けられているものである。
【発明の効果】
【０００８】
この発明に係る空調用室内機は、天板とは別個独立のカバー体にダクト用フランジ部が設けられ、このダクト用フランジ部に外部のダクトが連結され、更に天板がカバー体の前面開口部から前後出し入れ自在となっているので、送風ファンや駆動部のメンテナンスなどを行なうにあたり、天板をカバー体の前面開口部から支障なく前方に引き出すことができる。この場合、天板は外部のダクトと連結されていないので、天板はその動きが規制されることなくダクトの重さがかかることもなく前方に引き出される。従って、天板の前方引き出しに先立ちダクトを空調用室内機から取り外さなくて済み、天板を本体ケーシングの前方へ軽力で簡単に移動させることができ、送風ファンやその駆動部などのメンテンナンスなどを手軽に行なえるという効果を奏する。
【発明を実施するための最良の形態】
【０００９】
以下、本発明の最良の実施形態を図面に基づいて説明する。
実施の形態１．
図１は本発明の一実施形態に係る空調用室内機の前板を取り外した状態を示す正面図、図２は前記空調用室内機の図面に向かって左側の側板を取り外した状態を示す側面図、図３は前記空調用室内機の平面図である。
各図において、この実施形態に係る空調用室内機１は、左右の側板２，３と、左右の側板２，３上に支持される天板４と、背板５と、前板６と、底板７とから直方箱状に形成された本体ケーシング８を備えている。これらの側板２，３、背板５、前板６、および底板７は、それぞれの間に支柱材や横枠材を適宜介在させてビスなどで固定されている。天板４は、後で詳述するように、側板２，３および背板５に対し自由独立の構成となっている。
本体ケーシング８内は、ケーシング前面下部の空気吸込口２１とケーシング上面の開口とを連通する通風路になっている。この通風路内には、汎用の空調用冷媒回路（図示省略）の一構成部品である室内熱交換器９が、前側を高くした傾斜配置で設置されている。この室内熱交換器９を境に、本体ケーシング８内の通風路が空気入側の１次側空間１９と空気出側の２次側空間２０とに区画される。
【００１０】
そして、天板４の下面には、１組の支持脚１８，１８が左右方向に離間して垂設されている。支持脚１８，１８の下端部には、ボールベアリングなどの軸受１４，１４が取り付けられている。これらの軸受１４，１４に回転軸１３が架け渡されて回動自在に軸支されている。回転軸１３の途中には、シロッコファンなどに代表される２台の送風ファン１０，１０が固設されている。そして、これらの送風ファン１０，１０の周囲をそれぞれ囲むファンケーシング１２，１２が天板４の下面に固設されている。各ファンケーシング１２の左右両側における回転軸１３の周囲部分は開口して、吸込口１２Ａ，１２Ａとなっている。ファンケーシング１２，１２の上面には、空気の吹出口１２Ｂ，１２Ｂが形成されている。ファンケーシング１２，１２は、天板４に取り付けられた状態で、それぞれの吹出口１２Ｂ，１２Ｂが天板４の吹出用開口４Ａ，４Ａと連通する位置となるように配置されている。
【００１１】
また、天板４の下面にはモータ３８が固設されている。このモータ３８の回転駆動軸にモータプーリ１６が取り付けられ、回転軸１３の一端部にファンプーリ１５が取り付けられ、ファンプーリ１５とモータプーリ１６との間にベルト１７が架け回されている。これらにより、モータ３８の回転駆動力が送風ファン１０，１０に伝達される。すなわち、モータ３８、モータプーリ１６、ベルト１７、ファンプーリ１５、および回転軸１３から、送風ファン１０，１０を回転駆動する駆動部１１が構成される。前記した送風ファン１０，１０は、室内熱交換器９から出た２次側空間２０の空気を吸込口１２Ａ，１２Ａより吸い込んで吹出口１２Ｂ，１２Ｂから吹き出すようになっている。
【００１２】
更に、本体ケーシング８内で室内熱交換器９の下方位置には、室内熱交換器９からのドレン水を収受するドレンパン２２が配備されている。本体ケーシング８内でドレンパン２２の下方位置には、モータ３８駆動用の電気部品などを収納した電気品箱２６が配備されている。本体ケーシング８内で、例えば室内熱交換器９の右側位置は冷媒配管２３を上下に通す空間部となっている。この空間部が上側の配管カバー２５と下側の塞ぎ板２４により覆われることにより、上述した通風路が最終的に１次側空間１９と２次側空間２０とに区画される。
【００１３】
天板４は、図４に示すように、平板部４Ｂと、この平板部４Ｂから前方に延びる前鍔部４Ｃと、平板部４Ｂと前鍔部４Ｃの境界部分で起立して左右に沿う横板部４Ｄと、平板部４Ｂの後端縁で起立した後辺部４Ｅとから構成されている。ファンケーシング１２，１２の吹出口１２Ｂ，１２Ｂに対応する位置の平板部４Ｂには、吹出用開口４Ａ，４Ａが形成されている。
【００１４】
そして、側板２，３の内面２ａ，３ａのそれぞれの上部には、図５に示すように、前後に長い角柱状の受け部材３７，３７が固設されている。これらの受け部材３７，３７の上面には、天板支持部材３０，３０がそれぞれ設置されビスなどで固定されている。それぞれの天板支持部材３０は、前後に長いレール状部材３１で構成されている。レール状部材３１は正断面が山型形状となるように板金材を折り曲げて形成されている。これによって、レール状部材３１の頂部３２Ａは天板４の下面を線接触状態で載置して支持する。
【００１５】
天板４の上方には平面視で矩形状のカバー体２７が本体ケーシング８の上面開口全体を被って配備される。このカバー体２７は、天板４の吹出用開口４Ａ，４Ａと対向する位置に吹出用開口２９が形成されている。吹出用開口２９の周縁には、外部ダクト４０と連結するために使用されるダクト用フランジ部２８が全周にわたって立設されている。
そして、カバー体２７は、図６（ａ）に示すように、左右両端部に脚部２７Ａ，２７Ａが垂設されている。これらの脚部２７Ａ，２７Ａが左右の受け部材３７，３７上に載置されビスなどで取り付けられることにより、図６（ｂ）に示すように、カバー体２７が側板２，３に固定される。このとき、本体ケーシング８の前板６の上方とカバー体２７の前方の間に前面開口部３６が形成され、この前面開口部３６から天板４が格納されるようになっている。格納後の天板４は、その左右前端が側板２，３の前部にビスなどで固定される。
【００１６】
一方、図７に示すように、天板４の後辺部４Ｅは左右方向に延在する横板として起立して設けられている。この天板４の後辺部４Ｅは、カバー体２７のダクト用フランジ部２８の背側内面２８Ａとの間を気密状態にして互いに接するように形成されている。そして、カバー体２７の前辺部２７Ｂの前面であって、天板４の横板部４Ｄと対面する位置には、例えば発泡ポリエチレンなどからなる弾性シール部材３９が粘着材などにより貼着されている。また、前面開口部３６内に装入された天板４がカバー体２７内の所定位置（すなわち、天板４の後辺部４Ｅがダクト用フランジ部２８の背側内面２８Ａと接したときの位置）に格納されたとき、天板４の横板部４Ｄがカバー体２７の弾性シール部材３９に接するとともに、天板４の後辺部４Ｅがカバー体２７の背側内面２８Ａに接するようになっている。このとき、天板４の横板部４Ｄは、弾性シール部材３９を介してカバー体２７を後方向（図７（ａ）の円Ｇ内に示す矢印（−Ｆ）方向）に弾性的に押圧している。
【００１７】
上記のように構成された空調用室内機１の作用を以下に説明する。
まず、天板４の左右前端を側板２，３に留めていたビスを外したのち、図３および図８（ａ）に示すように、天板４の前部を手でもって前方（矢印Ｆ方向）に引くと、天板４はレール状部材３１の頂部３２Ａ（（図７（ｂ）参照））上をスムースに滑動して前方に移動する。この場合、天板４は外部ダクト４０と連結されているのでなく外部ダクト４０に対し自由な独立構成であるから、その動きが抑制されることなく、自由に前方に引き出される。一方で、天板４の前方引き出しに先立って、外部ダクト４０を空調用室内機１から取り外す必要はない。そして、天板４の下面はレール状部材３１の頂部３２Ａに線接触状態で支持されているので、滑り摩擦力が比較的小さく、且つ、点接触状態のように接触位置に力が集中し過ぎて接触部分を変形させるといったこともない。
【００１８】
そこで、図８（ｂ）に示すように、本体ケーシング８の前方に出てきたファンケーシング１２や駆動部１１は、作業者により、下方から、左右側方から、あるいは背方から、観察されたり、手を差し入れられてメンテナンスや清掃が行なわれる。また、カバー体２７のシール用のクッション材３９その他のヘタリや破れの確認や補修が行なわれる。
【００１９】
前記のようなメンテナンスが終了した後に、天板４を手で後向き（図７（ａ）の拡大円Ｇ内における矢印（−Ｆ）方向）に押すと、天板４は容易に前面開口部３６から本体ケーシング８内に格納される。そして、天板４がカバー体２７内の所定位置に到達すると、天板４の横板部４Ｄとカバー体２７の弾性シール部材３９との間、および、カバー体２７の背側内面２８Ａと天板４の後辺部４Ｅとの間がそれぞれ気密状に封止される。
一方で、上記のように天板４の左右の下面はレール状部材３１，３１の頂部３２Ａ，３２Ａに線接触状態で支持されているので、もともと左右の側板２，３と天板４との間はほぼ気密状に封止されている。
これらの箇所の気密状態によって、天板４の吹出用開口４Ａ，４Ａおよびカバー体２７の吹出用開口２９を除く、天板４とカバー体２７に囲まれた部位が確実に密閉状態にされるのである。
【００２０】
以上説明したように、この実施形態の空調用室内機１では、外部ダクト４０が、天板４とは別個独立構成であるカバー体２７のダクト用フランジ部２８と接続されている。従って、送風ファン１０や駆動部１１などのメンテナンスや清掃に際して天板４を本体ケーシング８から引き出すにあたり、外部ダクト４９をカバー体２７から取り外さなくて済む。これにより、ダクト取外しおよびダクト復旧の手間が不要になるから、それらにかかる労力や費用を低減化することができ、送風ファン１０や駆動部１１などのメンテナンスや清掃を容易かつ迅速に行なうことができる。また、ダクトの取外しと復旧作業を行なう場合のようにダクト表面に付着していた塵埃が振るい落とされて周囲を汚すといったことがないので、この空調用室内機１は衛生的な環境が要求される例えば食品工場の室内などに好適に設置される。そして、天板４は左右の天板支持部材３０，３０上にスライド自在に載置されているので、天板４を容易に本体ケーシング８から引き出したり戻したりすることができる。
【００２１】
そして、カバー体２７とは独立の天板４が本体ケーシング８から出し入れされるものでありながら、天板４がカバー体２７内の所定位置に格納されたときは、天板４の横板部４Ｄとカバー体２７の弾性シール部材３９との間、および、カバー体２７の背側内面２８Ａと天板４の後辺部４Ｅとの間がそれぞれ気密状に封止され、それらに加えて左右の側板２，３と天板４との間はもともとほぼ気密状に封止されているので、天板４とカバー体２７で囲まれた空間は密閉される。これによって、天板４の吹出用開口４Ａ，４Ａから前記の空間内に流入した空気を、カバー外に洩らすことなくカバー体２７の吹出用開口２９から外部ダクト４０に流出させることができる。
【００２２】
尚、上記の実施形態では、天板４がカバー体２７内の所定位置に格納されたときに、天板４の後辺部４Ｅとカバー体２７の背側内面２８Ａとが接してそれらの間が気密状に封止されるものを例示したが、本発明はそれに限定されるものでない。例えば、天板４がカバー体２７内の所定位置に格納されたときに、背板５の背面５Ａと天板４の後辺部４Ｆ（（図７（ａ）参照））とが接してそれらの間が気密状に封止されるような構成を採用することも可能である。
また、上記では天板が左右のレール状部材上に線接触状態で支持されることによりこれらの間がほぼ気密状に封止される例を示したが、天板を左右のレール状部材上に面接触状態で支持させても、これらの間をほぼ気密状に封止することは可能である。
また、駆動部１１として、プーリ１５，１６とベルト１７で構成した例を示したが、それ以外に、例えば、スプロケットとチェーンの組み合わせや複数の歯車の組み合わせなどで、本発明の駆動部を構成してもよい。
そして、本発明で外部のダクトとして用いた「外部の」とは、本発明の空調用室内機以外の他の構成であることを意味している。
【図面の簡単な説明】
【００２３】
【図１】本発明の一実施形態に係る空調用室内機の前板を取り外した状態を示す正面図である。
【図２】前記空調用室内機の図面に向かって左側の側板を取り外した状態を示す側面図である。
【図３】前記空調用室内機の平面図である。
【図４】前記空調用室内機の天板を示し、（ａ）は平面図、（ｂ）は（ａ）におけるＡ−Ａ線矢視断面図である。
【図５】前記空調用室内機の天板を取り外した状態を示し、（ａ）は平面図、（ｂ）は（ａ）におけるＢ−Ｂ線矢視の部分断面図である。
【図６】前記空調用室内機の本体ケーシングにカバー体を取り付ける態様を示し、（ａ）は取付前の状態を示す部分斜視図、（ｂ）は取付後の状態を示す部分斜視図である。
【図７】（ａ）は図３におけるＤ−Ｄ線矢視断面図、（ｂ）は図３におけるＣ−Ｃ線矢視断面図である。
【図８】前記空調用室内機の前板を取り外した状態を示し、（ａ）は天板が本体ケーシング内に格納されている状態を示す部分斜視図、（ｂ）は天板が本体ケーシングから前方に引き出された状態を示す部分斜視図である。
【符号の説明】
【００２４】
１  空調用室内機、２  側板、３  側板、４  天板、４Ａ  吹出用開口、４Ｂ  平板部、４Ｃ  前鍔部、４Ｄ  横板部、４Ｅ  後辺部、４Ｌ  左端部、４Ｒ  右端部、５  背板、５Ａ  背面、６  前板、７  底板、８  本体ケーシング、９  室内熱交換器、１０  送風ファン、１１  駆動部、１２  ファンケーシング、１２Ａ  吸込口、１２Ｂ  吹出口、１３  回転軸、１４  軸受、１５  ファンプーリ、１６  モータプーリ、１７  ベルト、１８  支持脚、１９  １次側空間、２０  ２次側空間、２１  空気吸込口、２２  ドレンパン、２３  冷媒配管、２４  塞ぎ板、２５  配管カバー、２６  電気品箱、２７  カバー体、２７Ａ  脚部、２７Ｂ  前辺部、２８  ダクト用フランジ部、２８Ａ  背側内面、２９  吹出用開口、３０  天板支持部材、３１  レール状部材、３２Ａ  頂部、３３  垂直面、３４  逃げ止め部材、３６  前面開口部、３７  受け部材、３８  モータ、３９  クッション材、４０  外部ダクト、−Ｆ  矢印。
【図１】
2010117103.tif 000003
【図２】
2010117103.tif 000004
【図３】
2010117103.tif 000005
【図４】
2010117103.tif 000006
【図５】
2010117103.tif 000007
【図６】
2010117103.tif 000008
【図７】
2010117103.tif 000009
【図８】
2010117103.tif 000010